(57)【特許請求の範囲】
【請求項１】
複数の孔(14a)が形成された複数本の剛性パイプ(14)が互いに平行にかつパイプ連結手段により連結して構成されたパイプの集合体(11)と、
前記パイプの集合体(11)を被包可能な大きさを有するシート(12,22)と
を備え、
前記パイプ連結手段(13)が前記剛性パイプ(14)に形成された取付孔(13a)と、前記取付孔(13a)に挿入可能であって前記剛性パイプ(14)の直径より長くかつ一端又は両端に雄ねじ(13b)が形成された連結棒(13d)と、前記雄ねじ(13b)に螺着可能な雌ねじ(13c)とを有し、
前記パイプの集合体(11)がパイプの長手方向を鉛直にして前記シート(12,22)により被包された状態で地中に埋設される
ことを特徴とする地下貯水槽。
【請求項２】
連結棒(13d)が挿通された横パイプ(14e)を介して複数本の剛性パイプ(14)が連結された請求項１記載の地下貯水槽。
【請求項３】
複数の孔(14a)が形成された複数本の剛性パイプ(14)が互いに平行にかつパイプ連結手段により連結して構成されたパイプの集合体(11)と、
前記パイプの集合体(11)を被包可能な大きさを有するシート(12,22)と
を備え、
前記パイプ連結手段(13)が互いに隣接するパイプの双方の端部に嵌着可能に構成されたクリップ(41)であって、
前記パイプの集合体(11)がパイプの長手方向を鉛直にして前記シート(12,22)により被包された状態で地中に埋設される
ことを特徴とする地下貯水槽。
【請求項４】
複数の孔(14a)が形成された複数本の剛性パイプ(14)が互いに平行にかつパイプ連結手段により連結して構成されたパイプの集合体(11)と、
前記パイプの集合体(11)を被包可能な大きさを有するシート(12,22)と
を備え、
前記パイプ連結手段(13)が複数本配設されたパイプの端部に嵌着可能に構成された樹脂成形品(42,43,44)であって、
前記パイプの集合体(11)がパイプの長手方向を鉛直にして前記シート(12,22)により被包された状態で地中に埋設される
ことを特徴とする地下貯水槽。
【請求項５】
パイプの集合体(11)が２段又は３段若しくは４段に積重ねられた請求項１ないし４いずれか記載の地下貯水槽。
【請求項６】
複数本の剛性パイプが長さの異なる長剛性パイプ(14c)と短剛性パイプ(14d)とを有し、前記短剛性パイプ(14d)の上縁又は下縁が前記長剛性パイプ(14c)の上縁又は下縁と面一になるように前記複数本の剛性パイプ(14c,14d)を連結してパイプの集合体(11)が構成された請求項１ないし５いずれか記載の地下貯水槽。
【請求項７】
シートが遮水シート(12)であって、パイプの集合体(11)が前記遮水シート(12)を介してモルタル、合成樹脂又はコンクリート製の下壁(31a)、側壁(31b)及び上壁(31c)からなる補強壁(31)で被包された請求項１ないし６いずれか記載の地下貯水槽。
【請求項８】
パイプの集合体の底部に対面する遮水シート(12)と補強壁(31)の間に保護シート(32)が介装された請求項７記載の地下貯水槽。
【請求項９】
掘削された底部に上面が略水平になるようにモルタル又はコンクリート製の下壁(31a)を形成する工程と、
複数の孔(14a)が形成された複数本の剛性パイプ(14)が互いに平行にかつパイプ連結手段(13)により連結して構成されたパイプの集合体(11)の底部より広い大きさを有する第１保護シート(32a)を前記下壁(31a)の上面に配置する工程と、
前記第１保護シート(32a)の上面に前記パイプの集合体(11)を被包可能な大きさを有する遮水シート(12)を配置する工程と、
前記パイプの集合体(11)を前記遮水シート(12)を介して前記第１保護シート(32a)上に配置する工程と、
前記遮水シート(12)の周囲を立ち上げてかつ前記遮水シート(12)の端部を前記パイプの集合体(11)の上面に載せることにより前記パイプの集合体(11)を前記遮水シート(12)により被包する工程と、
前記第１保護シート(32a)の周囲を立ち上げ前記パイプの集合体(11)の底部を包込む工程と、
前記遮水シート(12)又は前記遮水シート(12)及び前記第１保護シート(32a)を介して前記パイプの集合体(11)の底面を除く面を金網(33)により包込む工程と、
前記金網(33)にモルタル、合成樹脂又はコンクリートを塗布して乾燥させることにより側壁(31b)及び上壁(31c)を形成する工程と
を含む地下貯水槽の形成方法。
【請求項１０】
立ち上げられた第１保護シート(32a)により包込まれたパイプの集合体(11)の底部以外の面を第２保護シート(32b)を介して金網(33)により包込む請求項９記載の地下貯水槽の形成方法。
【発明の詳細な説明】
【０００１】
【発明の属する技術分野】
本発明は雨水を利用するために又はいわゆる洪水の発生を回避するために地下に設けられる地下貯水槽及びその形成方法に関するものである。
【０００２】
【従来の技術】
従来、雨水を有効に利用するための設備として、地下に貯水槽を埋設してこの貯水槽に雨水を貯留するものが知られている。この設備では、家屋の屋根若しくは屋上又は地表に落下した雨水を樋又は溝により集め、この集めた水を貯水槽に導いてその内部に貯留するように構成される。また、このような設備には地上から内部に貯留された水を抜出し可能なポンプ等の排水手段が設けられ、この排水手段により内部に貯留された水を抜出してその水を利用できるように構成される。
また、いわゆる洪水の発生を回避する設備として、地下に貯水槽を埋設してこの貯水槽に余剰雨水を一時的に貯留することにより、その余剰雨水が地表を流れることを防止するものが知られている。この設備では、地上の河川を流れる雨水が所定の水位以上に上昇した場合に、余剰雨水を貯水槽に導いて一時的に貯留するとともに、地下に埋設された貯水槽はその一時的に貯留した雨水が周囲の土壌に浸透可能に構成される。従って、貯水槽に一時的に貯留された雨水は、その後の晴天時において貯水槽周囲の土壌に漏れ出して内部に再び雨水を貯留するための空間を形成するように構成され、その後の降雨時における一定量の雨水を一時的に貯留可能な空間を常に準備しておくようになっている。
【０００３】
従来、このような設備に使用される貯水槽であって、地下に比較的簡易に設置できるものとして、地下貯水槽を形成すべき場所を掘削し、その掘削した中央最下部分にシートを配置してその中央部分に砂、砂礫、割石等からなる滞水材を積上げて形成するものが知られている。この場合のシートとして、雨水の再利用を目的とする場合には雨水の透過不能な遮水シートが、洪水の発生を回避することを目的とする場合には雨水の透過を許容する透水シートが使用される。その後、シートの周囲は立ち上げられて滞水材の周囲をそのシートにより包囲し、滞水材の上面にシートの端部を載せることにより滞水材をそのシートにより包み込むことで貯水槽が形成される。この地下貯水槽では、砂、砂礫、割石等からなる滞水材の隙間に水が貯留するようになっている。
【０００４】
【発明が解決しようとする課題】
しかし、上述した地下貯水槽では、シートにより包まれた空間において、砂、砂礫、割石等からなる滞水材が占める割合が比較的多く、雨水等の貯留量が比較的少ない問題点があった。
この点を解消するために、滞水材を金型により成形されたプラスチックの成型体により形成することが提案されている（特公平４−３５５８０）。プラスチックの成型体から成る滞水材を使用することにより、シートにより包まれた体積中のその滞水材が占める割合を低下させて雨水の貯水量を増加させることが期待されているが、滞水材を形成するための金型は大型で比較的高価なものであるために、その金型で成形される滞水材も必然的に高価なものになり、地下貯水槽自体の単価が押上げられる不具合がある。
また、遮水シートを使用して雨水を利用する地下貯水槽では、長期間の使用に対しても雨水を漏すことなく十分に雨水を貯留することが望まれる。
本発明の目的は、比較的安価であって比較的多くの雨水を貯留可能な地下貯水槽を提供することにある。
本発明の別の目的は、長期間の使用に対しても雨水を漏すことなく十分に雨水を貯留し得る遮水シートを使用した地下貯水槽及びその形成方法を提供することにある。
【０００５】
【課題を解決するための手段】
請求項１に係る発明は、図１ないし図３に示すように、複数の孔１４ａが形成された複数本の剛性パイプ１４が互いに平行にパイプ連結手段１３により連結して構成されたパイプの集合体１１と、このパイプの集合体１１を被包可能な大きさを有するシート１２とを備え、パイプ連結手段１３がパイプに形成された取付孔１３ａと、この取付孔１３ａに挿入可能であってパイプ１４の直径より長くかつ一端又は両端に雄ねじ１３ｂが形成された連結棒１３ｄと、その雄ねじ１３ｂに螺着可能な雌ねじ１３ｃとを有し、パイプの集合体１１がパイプ１４の長手方向を鉛直にしてシート１２により被包された状態で地中に埋設されることを特徴とする地下貯水槽である。
この請求項１に係る発明では、シート１２により囲まれた空間に雨水が貯留されるが、剛性パイプ１４がその空間を占める割合は、砂、砂礫、割石等からなる滞水材を遮水シートで包んだ従来のものに比較して少なく、本発明の貯水槽１０は従来のものに比較して雨水の貯水量が増加する。また、剛性パイプ１４を大量に作られる比較的安価なパイプを加工して作り、連結棒１３ｄ及び雌ねじ３１ｃで連結することにより、高価な金型を使用して成形した滞水材と比較して安価に得ることができる。このため、地下貯水槽１０の単価は押上げられない。更に、複数本のパイプ１４を互いに連結してパイプの集合体１１を構成するので、貯水槽を形成する箇所の地形に相応して剛性パイプ１４の長さ及びその配置を変更することにより、そのパイプの集合体１１の形状を自由に設定することができる。
【０００６】
請求項２に係る発明は、請求項１に係る発明であって、図１６及び図１７に示すように、連結棒１３ｄが挿通された横パイプ１４ｅを介して複数本の剛性パイプ１４が連結された地下貯水槽である。
この請求項２に係る発明では、連結棒１３ｄが挿通された横パイプ１４ｅを介して複数本の剛性パイプ１４を連結してパイプの集合体１１を構成するので、その剛性パイプ１４自体の本数を減少させることができる。横パイプ１４ｅは、剛性パイプ１４より小さな直径を有するものであればどのような直径のパイプでも使用することが可能である。このため、パイプの集合体１１を構成する際に長さが同一であって、直径の異なる複数種類の横パイプ１４ｅを使用してそのパイプの集合体１１を構成することもできる。従って、横パイプ１４ｅを使用して構成されたパイプの集合体１１を備えた地下貯水槽は、横パイプ１４ｅを使用することなく構成された同形同大のパイプの集合体１１を備えた地下貯水槽に比較して雨水の貯水量が更に増加するとともに、その施工が比較的容易になる。
なお、横パイプ１４ｅの長さは剛性パイプ１４の直径からその直径の３倍までの長さであることが好ましい。横パイプ１４ｅの長さが剛性パイプ１４の直径より小さいと、剛性パイプ１４を隣接させてパイプ連結手段１３により連結する場合と同様の作業工数を必要とするため、その施工を容易化できない。一方、横パイプ１４ｅの長さが剛性パイプ１４の直径の３倍を越えると構成されるパイプの集合体１１の剛性が低下する。
【０００７】
請求項３に係る発明は、図１及び図１８に示すように、複数の孔１４ａが形成された複数本の剛性パイプ１４が互いに平行にパイプ連結手段１３により連結して構成されたパイプの集合体１１と、このパイプの集合体１１を被包可能な大きさを有するシート１２とを備え、パイプ連結手段が互いに隣接するパイプの双方の端部に嵌着可能に構成されたクリップ４１であり、パイプの集合体１１がパイプ１４の長手方向を鉛直にしてシート１２により被包された状態で地中に埋設されることを特徴とする地下貯水槽である。
この請求項３に係る発明では、クリップ４１を嵌入するだけの簡単な作業で剛性パイプ１４を互いに連結することができ、パイプの集合体１１を構成する際の工数を低減できる。
【０００８】
請求項４に係る発明は、図１及び図１９〜図２１に示すように、複数の孔１４ａが形成された複数本の剛性パイプ１４が互いに平行にパイプ連結手段１３により連結して構成されたパイプの集合体１１と、このパイプの集合体１１を被包可能な大きさを有するシート１２とを備え、パイプ連結手段が複数本配設されたパイプ１４の端部に嵌着可能に構成された樹脂成形品４２，４３，４４であり、パイプの集合体１１がパイプ１４の長手方向を鉛直にしてシート１２により被包された状態で地中に埋設されることを特徴とする地下貯水槽である。
この請求項４に係る発明では、パイプ連結手段として樹脂成形品４２，４３，４４を使用しても、その金型は従来の滞水材を形成するための金型に比較して小型で比較的安価である。このため、パイプ連結手段として樹脂成形品４２，４３，４４を使用してパイプの集合体１１を構成する際の工数を低減しても、地下貯水槽自体の単価が押上げられることはない。
【０００９】
請求項５に係る発明は、請求項１ないし４記載のいずれかに係る発明であって、図１に示すように、パイプの集合体１１が２段又は３段若しくは４段に積重ねられた地下貯水槽である。
この請求項５に係る発明では、パイプの集合体１１を積重ねることにより地下貯水槽の高さ方向を容易に変更することができ、地形、地質、立地条件に応じて地下貯水槽を適切な高さに容易にすることができる。
請求項６に係る発明は、請求項１ないし５記載のいずれかに係る発明であって、図１４及び図１５に示すように、複数本の剛性パイプが長さの異なる長剛性パイプ１４ｃと短剛性パイプ１４ｄとを有し、短剛性パイプ１４ｄの上縁又は下縁が長剛性パイプ１４ｃの上縁又は下縁と面一になるように複数本の剛性パイプ１４ｃ，１４ｄを連結してパイプの集合体１１が構成された地下貯水槽である。
この請求項６に係る発明では、短剛性パイプ１４ｄを長剛性パイプ１４ｃとともに使用してパイプの集合体１１を構成することにより、シートにより包まれた体積中の剛性パイプ１４ｃ，１４ｄが占める割合を更に低下させることができ、雨水の貯水量を更に増加させることができる。
【００１０】
請求項７に係る発明は、請求項１ないし６記載のいずれかに係る発明であって、図７に示すように、シートが遮水シート１２であって、パイプの集合体１１が遮水シート１２を介してモルタル、合成樹脂又はコンクリート製の下壁３１ａ、側壁３１ｂ及び上壁３１ｃからなる補強壁３１で被包された地下貯水槽である。
請求項８に係る発明は、請求項７記載の発明であって、パイプの集合体１１の底部に対面する遮水シート１２と補強壁３１の間に保護シート３２が介装された地下貯水槽である。
【００１１】
請求項９に係る発明は、図７〜図１０に示すように、掘削された底部に上面が略水平になるようにモルタル又はコンクリート製の下壁３１ａを形成する工程と、複数の孔１４ａが形成された複数本の剛性パイプ１４が互いに平行にかつパイプ連結手段により連結して構成されたパイプの集合体１１の底部より広い大きさを有する第１保護シート３２ａを下壁３１ａの上面に配置する工程と、第１保護シート３２ａの上面にパイプの集合体１１を被包可能な大きさを有する遮水シート１２を配置する工程と、パイプの集合体１１を遮水シート１２を介して第１保護シート３２ａ上に配置する工程と、遮水シート１２の周囲を立ち上げてかつ遮水シート１２の端部をパイプの集合体１１の上面に載せることによりパイプの集合体１１を遮水シート１２により被包する工程と、第１保護シート３２ａの周囲を立ち上げパイプの集合体１１の底部を包込む工程と、遮水シート１２又は遮水シート１２及び第１保護シート３２ａを介してパイプの集合体１１の底面を除く面を金網３３により包込む工程と、金網３３にモルタル、合成樹脂又はコンクリートを塗布して乾燥させることにより側壁３１ｂ及び上壁３１ｃを形成する工程とを含む地下貯水槽の形成方法である。
【００１２】
請求項１０に係る発明は、請求項９記載の発明であって、立ち上げられた第１保護シート３２ａにより包込まれたパイプの集合体１１の底部以外の面を第２保護シート３２ｂを介して金網３３により包込む地下貯水槽の形成方法である。
この請求項７ないし１０に係る発明では、パイプの集合体１１，１１は遮水シート１２を介して補強壁３１により被包されるので、遮水シート１２が地中に存在する微生物等により分解されることもなく、もぐら等の生物により孔をあけられることもない。また、たとえ遮水シート１２に孔があいたとしても、補強壁３１が内部に貯留された雨水が漏れ出すことを防止する。特に、遮水シート１２と補強壁３１の間に保護シート３２を介装すれば、モルタル、合成樹脂又はコンクリート製の補強壁３１に凹凸が生じても、貯留された雨水の水圧により遮水シート１２がその凹凸に押付けられて破損することを防止することができる。
【００１３】
【発明の実施の形態】
次に本発明の第１の実施の形態を図面に基づいて詳しく説明する。
図１に示すように、この実施の形態における地下貯水槽１０は雨水の再利用を目的として設けられるものであって、パイプの集合体１１を遮水シート１２で包むことにより作られる。図２に示すように、パイプの集合体１１はパイプ連結手段１３により複数本の剛性パイプ１４を互いに連結することにより作られ、複数本の剛性パイプ１４は鉛直方向を向いて互いに平行に配設される。この実施の形態における剛性パイプ１４は押出し成形された直径が３００〜８００ｍｍの塩化ビニール製のパイプが使用される。剛性パイプ１４の直径が直径が３００ｍｍ未満であると、貯水槽１０形成時における剛性パイプ１４の配置作業における工数が増加し、剛性パイプ１４の直径が８００ｍｍを越えると剛性パイプ１４の運搬が困難になる。それぞれの剛性パイプ１４には機械加工することにより周囲に複数の孔１４ａが形成され、端部には９０゜毎に４箇所肉厚の倍の幅を有する凹溝１４ｂが形成される。
【００１４】
図２〜図４に示すように、パイプ連結手段１３は、剛性パイプ１４に形成された取付孔１３ａ（図３）と、この取付孔１３ａに挿入可能であって剛性パイプ１４の直径より長くかつ一端又は両端に雄ねじ１３ｂが形成された連結棒１３ｄと、その雄ねじ１３ｂに螺着可能な雌ねじ１３ｃとを備える。取付孔１３ａは剛性パイプ１４の上端及び下端近傍の隣接する剛性パイプ１４との当接箇所にそれぞれ形成され、連結棒１３ｄはこの取付孔１３ａを貫通して、この実施の形態では４本の剛性パイプ１４に挿通される。雌ねじ１３ｃは剛性パイプ１４の内部で雄ねじ１３ｂに螺着してこの４本の剛性パイプ１４を連結するように構成される。図４に示すように、この実施の形態では、複数の剛性パイプ１４は縦横に方形に配設され、パイプ連結手段１３はそれぞれの剛性パイプ１４の全てを連結する。
【００１５】
図１に戻って、このパイプの集合体１１，１１は２段に積重ねられる。集合体１１，１１の重ね合せは、地下貯水槽１０を形成すべき場所を掘削して遮水シート１２を配置した後に行われる。具体的に、地下貯水槽１０を形成するには、その地下貯水槽１０を形成すべき場所を必要な深さ、及び形状に従って掘削し、その中央最下部分に遮水シート１２を配置する。その後、遮水シート１２の中央部分にこの実施の形態では金属板から成る台板１０ａを敷き、この台板１０ａの上に先ず下段のパイプの集合体１１を形成する。下段の集合体１１を形成した後にその上に上段のパイプの集合体１１を積上げる。図５に示すように、上段の集合体１１の積上げはそれぞれの剛性パイプ１４の端部に形成された凹溝１４ｂを下段を構成する剛性パイプ１４の凹溝１４ｂに挿入するようにして行い、このように積上げることにより上側に積上げられるパイプの集合体１１の安定性を向上させる。
【００１６】
図１に示すように、積上げられた集合体１１，１１は遮水シート１２により包み込まれる。遮水シート１２を包む前に、パイプの集合体１１，１１の上端及び側部の双方には金属板から成る剛性板１６が設けられる。遮水シート１２はこのように積重ねられかつ剛性板１６が設けられたパイプの集合体１１，１１の全体を包むように設けられる。具体的には、遮水シート１２の周囲を立ち上げてそのパイプの集合体１１全体をその剛性板１６とともにその遮水シート１２により包囲した後、上側に設けられた剛性板１６の上面にその端部を載せることによりパイプの集合体１１，１１全体を遮水シート１２により包み込み、このようにして貯水槽１０は形成される。
【００１７】
このように作られた貯水槽１０には取水管１０ｄ、通気管１０ｂ、オーバフロー管１０ｃ及び排水パイプ１８ａが接続され、取水管１０ｄ、通気管１０ｂ、及び排水パイプ１８ａの上端が地表に表出するようにして貯水槽１０は埋め戻される。取水管１０ｄの上端はその後地表の雨水収集溝１０ｅ等に接続され、その溝１０ｅ等に集められた雨水を貯水槽１０に流入するように構成される。通気管１０ｂは取水管１０ｄからの水流入時又は後述する排水手段１８による水の排水時に内部エアを地上外部に放出し又は地上外部のエアを貯水槽１０の内部に流入させるように構成される。オーバフロー管１０ｃは貯水槽１０の内部容積を超える水の流入時に、その余剰水を貯水槽１０から地上外部又は図示しない他の貯水槽に導くように構成される。
【００１８】
また、埋め戻された貯水槽１０の上方であって排水パイプ１８ａの上端に位置する地表には貯水槽１０に貯留された水を取水可能な排水手段１８が設けられる。排水手段１８は下端が遮水シート１２を貫通して貯水槽１０の下部に達する排水パイプ１８ａと、地上に設けられその排水パイプ１８ａの上端から貯水槽１０内部の水を吸引しうる排水ポンプ１８ｂとにより構成される。この排水手段１８は排水ポンプ１８ｂにより排水パイプ１８ａを介して貯水槽１０内部の水を吸引して吐出パイプ１８ｃからその水を排出することにより貯水槽１０の水を外部から抜出し可能に構成される。
【００１９】
このように構成された地下貯水槽１０では、地表に落下した雨水は雨水収集溝１０ｅに集められ、取水管１０ｄを介して貯水槽１０の内部に流入し、この貯水槽１０は内部に流入したその雨水を貯留する。流入した雨水は当初いずれかの剛性パイプ１４の内部に侵入するが、周囲に形成された複数の孔１４ａを介して他の剛性パイプ１４にもその雨水は流入し、遮水シート１２により囲まれた空間に雨水は有効に貯留される。この場合、剛性パイプ１４がその空間を占める割合は、砂、砂礫、割石等からなる滞水材を遮水シートで包んだ従来のものに比較して少なく、本発明の貯水槽１０は従来のものより雨水の貯水量が増加する。また、剛性パイプ１４は押出し成形で大量に作られる比較的安価な塩化ビニール性のものを加工することにより作られるので、高価な金型を使用して成形した滞水材と比較して安価であり、地下貯水槽１０の単価が押上げられることもない。
【００２０】
図６に本発明の第２の実施の形態を示す。上述した実施の形態と同一符号は同一部品を示し、繰返しての説明を省略する。
この実施の形態における地下貯水槽２０はいわゆる洪水の発生を回避することを目的として地下に設けられ、パイプの集合体１１を透水シート２２で包むことにより作られる。パイプの集合体１１は上述した実施の形態と同一のものが使用され、このパイプの集合体１１，１１は２段に積重ねられる。この実施の形態では氾濫するおそれのある河川２１近傍に地下貯水槽２０は設けられ、地下貯水槽２０を形成すべき箇所は必要な深さ及び形状に従って掘削され、その中央最下部分に透水シート２２が配置される。その後、透水シート２２の中央部分に、この実施の形態では金属網から成る台板２０ａが敷かれ、この台板２０ａの上にパイプの集合体１１，１１が積上げられる。パイプの集合体１１，１１の上端及び側部の双方には金属網から成る剛性網２６が設けられ、その後透水シート２２の周囲は立ち上げられてそのパイプの集合体１１全体をその剛性網２６とともに包囲し、上側に設けられた剛性網２６の上面にその端部が載せられる。
【００２１】
このように作られた貯水槽２０には取水管２０ｄが接続され、その後貯水槽２０は埋め戻される。埋め戻された貯水槽２０の上方には河川２１に沿って堤防２１ａが形成され、取水管２０ｄはその堤防２１ａの河川側中段に上端が開口するように埋設される。
このように構成された地下貯水槽２０では、降雨により河川２１の水量が増加して水位が上昇し、その水位が取水管２０ｄの上端開口部に達すると、その開口部を越えて上昇しようとする雨水が取水管２０ｄを介して貯水槽２０の内部に流入する。貯水槽２０は内部に流入したその雨水を一時的に貯留して、余剰雨水が堤防２１ａを越えて地表を流れる洪水を防止する。この貯水槽２０に一時的に貯留された雨水は、その後の晴天時において貯水槽２０周囲の土壌に剛性網２６及び透水シート２２を越えて漏れ出し、貯水槽２０の内部に再び雨水を貯留するための空間を形成する。これ以外の効果は上述した実施の形態と同一であるので繰返しての説明を省略する。
【００２２】
図７に本発明の第３の実施の形態を示す。上述した実施の形態と同一符号は同一部品を示し、繰返しての説明を省略する。
この実施の形態における地下貯水槽３０は雨水の再利用を目的として設けられるものであって、パイプの集合体１１を遮水シート１２で包むことにより作られ、比較的浅い地中に埋設される。パイプの集合体１１は上述した実施の形態と同一のものが使用され、このパイプの集合体１１，１１は２段に積重ねられる。このパイプの集合体１１，１１は遮水シート１２を介してコンクリート製の下壁３１ａ、側壁３１ｂ及び上壁３１ｃからなる補強壁３１で被包され、遮水シート１２と補強壁３１の間には保護シート３２が介装される。具体的に、パイプの集合体１１，１１の底部に対面する遮水シート１２と補強壁３１の間には第１保護シート３２ａが介装され、それ以外の側面及びパイプの集合体１１，１１の上面に対面する遮水シート１２と補強壁３１の間には第２保護シート３２ｂが介装される。
【００２３】
次に、このような地下貯水槽３０の形成方法を説明する。
図８に示すように、地下貯水槽を形成すべき場所を必要な深さ、及び形状に従って掘削し、掘削された底部に上面が略水平になるようにコンクリート製の下壁３１ａを形成する。この上に貯水槽３０を形成するパイプの集合体１１の底部より広い大きさを有する不織布からなる第１保護シート３２ａをその下壁３１ａの上面に配置し、この第１保護シートの上面にパイプの集合体１１を被包可能な大きさを有する遮水シート１２を更に配置する。その後、遮水シート１２の中央部分にこの実施の形態では金属板から成る台板１０ａを敷き、この台板１０ａの上に２段からなるパイプの集合体１１を形成する。このようにしてパイプの集合体１１を遮水シート１２を介して第１保護シート３２ａ上に配置し、そのパイプの集合体１１の上端及び側部の双方に金属板から成る剛性板１６を設ける。
【００２４】
図９に示すように、遮水シート１２の周囲を立ち上げてパイプの集合体１１，１１全体をその剛性板１６とともに遮水シート１２により包囲した後、上側に設けられた剛性板１６の上面にその端部を載せることによりパイプの集合体１１，１１全体を遮水シート１２により被包する。その後、第１保護シート３２ａの周囲を立ち上げパイプの集合体１１の底部を包込み、パイプの集合体１１，１１の立ち上げられた第１保護シート３２ａの周囲を金網３３で包む。この状態で取水管１０ｄ、通気管１０ｂ、オーバフロー管１０ｃ及び排水パイプ１８ａが必要に応じてそれぞれ接続される。その後、立ち上げられた第１保護シート３２ａ以外のパイプの集合体１１の側面及び上面は、不織布からなる第２保護シート３２ｂを介して金網３３により包込まれる（図１０）。
【００２５】
図１０の拡大図に示すように、この実施の形態における第２保護シート３２ｂには金網３３が部分的に留め金３４により取付けられる。このようにして金網３３が添着された第２保護シート３２ｂで、立ち上げられた第１保護シート３２ａ以外のパイプの集合体１１の側面及び上面を包込むことにより、その側面及び上面は第２保護シート３２ｂを介して金網３３により包込まれる。この際に第１保護シート３２ａの端部と第２保護シート３２ｂの端部は図７の拡大図に示すように突き当てられ、それぞれの金網３３の端部は僅かに重ねられる。これにより遮水シート１２及び保護シート３２を介してパイプの集合体１１，１１の底面を除く面は金網３３により包込まれ、この金網３３にはコンクリートが塗布される。
【００２６】
コンクリートの塗布は、吹付け又は塗布用のへらを使用して金網３３に塗布され、金網３３に塗布されたコンクリートはその後乾燥させることにより側壁３１ｂ及び上壁３１ｃを形成し、パイプの集合体１１，１１は遮水シート１２及び保護シート３２を介してコンクリート製の下壁３１ａ、側壁３１ｂ及び上壁３１ｃからなる補強壁３１で被包される。このように作られた貯水槽３０は、取水管１０ｄ、通気管１０ｂ、及び排水パイプ１８ａの上端が地表に表出するようにして埋め戻される。図７に示すように、その後、取水管１０ｄの上端はその後地表の雨水収集溝１０ｅ等に接続され、通気管１０ｂの上端は大気中に開放され、更に排水パイプ１８ａの上端は排水ポンプ１８ｂに接続される。
【００２７】
このように構成された地下貯水槽３０では、地表に落下して収集流入した雨水を、パイプの集合体１１，１１を被包した遮水シート１２により囲まれた空間に有効に貯留する。このパイプの集合体１１，１１は遮水シート１２を介してコンクリート製の下壁３１ａ、側壁３１ｂ及び上壁３１ｃからなる補強壁３１で被包されているので、遮水シート１２が地中に存在する微生物等により分解されることもなく、もぐら等の生物により孔をあけられることもない。また、たとえ遮水シート１２に孔があいたとしても、補強壁３１は内部に貯留された雨水がその孔から漏れ出すことを防止する。特に、遮水シート１２と補強壁３１の間に保護シート３２を介装したので、補強壁３１に凹凸が生じていても遮水シート１２がその凹凸に押付けられて破損することもない。このため、本実施の形態における貯水槽はの長期間の使用に対しても十分に雨水を貯留することができる。これ以外の効果は上述した実施の形態と同一であるので繰返しての説明を省略する。
【００２８】
なお、上述した第３の実施の形態では、コンクリートからなる下壁３１ａ，側壁３１ｂ及び上壁３１ｃからなる補強壁を説明したが、遮水シート１２を補強できる限り、補強壁はモルタル又は合成樹脂からなるものであっても良い。
また、上述した第３の実施の形態では、不織布からなる保護シート３２を説明したが、遮水シート１２が補強壁３１に押付けられて破損することを防止できる限り、保護シート３２は織布であっても良い。
また、上述した第３の実施の形態では、立ち上げられた第１保護シート３２ａ以外のパイプの集合体１１の側面及び上面を第２保護シート３２ｂを介して金網３３により包込んだが、遮水シート１２が補強壁３１に押付けられて破損するようなものでない限り、第２保護シート３２ｂを設けることなく、パイプの集合体１１の側面及び上面を金網３３により包込んて補強壁３１を形成しても良い。
【００２９】
また、上述した第１〜第３実施の形態では塩化ビニール製のパイプを剛性パイプ１４として使用したが、地下貯水槽を形成すべき箇所に適した剛性を有するものであれば大量生産されている他の安価な合成樹脂製のパイプでも良く、逆に貯水槽上方の地表に比較的重い重量物が設けられる場合には、大量生産されている鋼管を剛性パイプとして使用しても良い。
また、上述した実施の形態では、複数の剛性パイプ１４は方形に配設したが、剛性パイプ１４の配設はこれに限られず、図１１に示すような三角形状、図１２に示すような六角形状又は図示しない円形状に配設しても良い。また、貯水槽を形成する箇所の地形に相応して剛性パイプ１４の配設形状を設定してもよい。
また、上述した実施の形態ではパイプ連結手段１３により剛性パイプ１４の全てをそれぞれ連結したが、図１２及び図１３に示すように、周囲の剛性パイプ１４のみをパイプ連結手段１３により連結し、このパイプ連結手段１３により連結された周囲の剛性パイプ１４より内側に位置する剛性パイプ１４を包囲して、その移動を禁止するようにしてパイプの集合体１１を形成してもよい。
【００３０】
また、上述した実施の形態では同形同大の複数の剛性パイプ１４を連結してパイプの集合体１１を構成したが、パイプの集合体１１を構成する剛性パイプ１４は同形同大のものでなくても良い。例えば図示しないが剛性パイプを円形状に配設するには直径の異なる複数の剛性パイプを使用してパイプの集合体１１を構成することが好ましい。また、剛性を確保できる限り図１４及び図１５に示すように、複数本の剛性パイプが長さの異なる長剛性パイプ１４ｃと短剛性パイプ１４ｄとを有してもよい。この場合、短剛性パイプ１４ｄの上縁又は下縁が長剛性パイプ１４ｃの上縁又は下縁と面一になるように複数本の剛性パイプ１４ｃ，１４ｄを連結してパイプの集合体１１を構成する。このパイプの集合体１１では、短剛性パイプ１４ｄを長剛性パイプ１４ｃとともに使用してパイプの集合体１１を構成するので、シートにより包まれた体積中の剛性パイプ１４ｃ，１４ｄが占める割合は更に低下して、雨水の貯水量を更に増加させることができる。
【００３１】
また、上述した実施の形態では複数の剛性パイプ１４を縦横に密着するように連結してパイプの集合体１１を構成したが、図１６及び図１７に示すように、連結棒１３ｄが挿通された横パイプ１４ｅを介して複数本の剛性パイプ１４を連結してパイプの集合体１１を構成しても良い。横パイプ１４ｅを使用する場合には図１６に示すように、連結棒１３ｄを予め横パイプ１４ｅに挿通させてその横パイプ１４ｅの両端から突出した連結棒１３ｄを取付孔１３ａに貫通させ、雌ねじ１３ｃを剛性パイプ１４の内部で雄ねじ１３ｂに螺着することにより剛性パイプ１４を連結する。図１７に示すように、横パイプ１４ｅを使用して複数の剛性パイプ１４を立体的に連結すれば、剛性パイプ１４の配設作業を減少させて、剛性パイプ１４が占める割合を低下させたパイプの集合体１１を構成することができる。また、横パイプ１４ｅは剛性パイプ１４より小さな直径を有するものであればどのような直径のパイプでも使用することが可能である。このため、パイプの集合体１１を構成する際に、廃材等を利用して長さが同一であってかつ直径の異なる複数種類の横パイプ１４ｅを使用してそのパイプの集合体１１を構成することもできる。即ち、横パイプ１４ｅを使用して構成されたパイプの集合体１１を備えた地下貯水槽は、横パイプ１４ｅを使用することなく構成された同形同大のパイプの集合体１１を備えた地下貯水槽に比較して雨水の貯水量が更に増加するとともに、その施工が比較的容易にかつ安価になる。
【００３２】
また、上述した実施の形態ではパイプ連結手段１３である連結棒１３ｄは４本の剛性パイプを連結するものを説明したが、図１５に示すように、パイプ連結手段１３は一対の剛性パイプ１４を連結するものであっても良く、図１４に示すようにパイプの集合体１１の一辺が比較的短い場合にはパイプ連結手段の連結棒１３ｄがそのパイプの集合体１１の全幅に渡る剛性パイプ１４に貫通可能なものであってもよい。
また、上述した実施の形態ではパイプの集合体１１が２段に積重ねられるものを説明したが、パイプの集合体１１は３段若しくは４段に積重ねてもよい。
また、上述した実施の形態では金属板から成る剛性板１６及び金属網から成る剛性網２６をパイプの集合体１１の上端及び側部の双方に設けたが、剛性板及び剛性網はプラスチックであっても良い。また、この剛性板又は剛性網は、パイプの集合体１１の上端のみ、又は側部のみに設けても良い。
【００３３】
更に、上述した実施の形態ではパイプ連結手段１３がパイプに形成された取付孔１３ａと、この取付孔１３ａに挿入可能な連結棒１３ｄと、雌ねじ１３ｃとを備えたものを説明したが、パイプ連結手段は図１８に示すように、互いに隣接するパイプ１４，１４の双方の端部に嵌着可能に構成されたクリップ４１であってもよく、図１９〜図２１に示すように、複数本配設されたパイプ１４の端部に嵌着可能に構成された樹脂成形品４２，４３，４４であってもよい。パイプ連結手段として樹脂成形品４２，４３，４４を使用しても、その金型は従来の滞水材を形成するための金型に比較して小型で比較的安価である。このため、樹脂成形品からなるパイプ連結手段は従来の滞水材よりも安価になり、地下貯水槽自体の単価が押上げられることはない。
【００３４】
図１８に示すクリップ４１は鋼板を断面コ字状に折曲げ加工することにより作られ、このクリップ４１を互いに隣接する剛性パイプ１４，１４の双方の端部に嵌入することによりその隣接する剛性パイプ１４，１４は連結される。このクリップ４１であれば雄ねじを挿通させるための取付孔が不要になり、剛性パイプ１４を加工する際の工数を低減できる。また、図１９に示す樹脂成形品４２から成るパイプ連結手段は４本の剛性パイプ１４の端部に嵌着する凹溝４２ａが形成され、この凹溝４２ａにその剛性パイプ１４の端部を挿入することにより一点鎖線で示す４本の剛性パイプ１４を連結するようになっている。
【００３５】
図２０に示す樹脂成形品４３から成るパイプ連結手段は４本の剛性パイプ１４の端部に嵌着する凹溝４３ａを有するとともに、この樹脂成形品４３が敷詰められた状態で平面を構成するように構成される。このような樹脂成形品４３であれば、４本の剛性パイプ１４を一点鎖線で示すように互いに連結するとともに、剛性パイプ１４を連結した状態で平面が形成されるために上述した実施の形態で使用した台板１０ａ又は集合体１１の上面に設けられた剛性板１６又は剛性網２６を不要にすることができる。更に、図２１に示す樹脂成形品４４から成るパイプ連結手段は３本の剛性パイプ１４を互いに連結する際に使用されるもので、３本の剛性パイプ１４の端部に嵌着する凹溝４４ａが３箇所形成され、この凹溝４４ａにその剛性パイプ１４の端部を挿入することにより一点鎖線で示す３本の剛性パイプ１４を連結するようになっている。この樹脂成形品４４を使用して形成された貯水槽の輪郭は上面視で三角形状（図１１）又は菱形、若しくは六角形状（図１２）のものが形成される。
【００３６】
【発明の効果】
以上述べたように、本発明によれば、鉛直方向を向いて互いに平行に配設され周囲に複数の孔が形成された複数本の剛性パイプと、この複数本のパイプを互いに連結してパイプの集合体を構成するパイプ連結手段と、このパイプの集合体を包むように設けられたシートとを備えたので、雨水が貯留されるシートにより囲まれた空間に、剛性パイプが占める割合は、砂、砂礫、割石等からなる滞水材をシートで包んだ従来のものに比較して少なく、本発明の貯水槽は従来のものに比較して雨水の貯水量を増加させることができる。また、剛性パイプは大量に作られる比較的安価なパイプを加工して作ることにより、高価な金型を使用して成形した滞水材と比較して安価に得ることができる。このため、地下貯水槽を安価に得ることができる。
【００３７】
また、パイプ連結手段がパイプに形成された取付孔と、この取付孔に挿入可能であって一端又は両端に雄ねじが形成された連結棒と、その雄ねじに螺着可能な雌ねじとを備えれば、取付孔を介して連結棒を挿入して雌ねじを雄ねじに螺合させて剛性パイプを互いに連結することによりパイプの集合体の剛性を高めることができる。パイプ連結手段が互いに隣接するパイプの双方の端部に嵌着可能に構成されたクリップであれば、そのクリップを嵌入するだけの簡単な作業で剛性パイプを互いに連結することができ、パイプの集合体を構成する際の工数を低減することができる。また、パイプ連結手段が複数本配設されたパイプの端部に嵌着可能に構成された樹脂成形品であっても、地下貯水槽自体の単価を押上げることなくパイプの集合体を構成する際の工数を低減することができる。
【００３８】
また、複数本の剛性パイプを連結してパイプの集合体を構成するので、貯水槽を形成する箇所の地形に相応して剛性パイプを連結すれば、その箇所の地形に適したパイプの集合体の上面視における形状を得ることができ、そのパイプの集合体を２段又は３段若しくは４段に積重ねれば、地形、地質、立地条件に応じて適切な高さに形成された地下貯水槽を容易に得ることができる。
更に、複数本の剛性パイプとして長さの異なる長剛性パイプと短剛性パイプとを使用し、短剛性パイプの上縁又は下縁が長剛性パイプの上縁又は下縁と面一になるように複数本の剛性パイプを連結してパイプの集合体を構成すれば、シートにより包まれた体積中の剛性パイプが占める割合を更に低下させて、雨水の貯水量を更に増加させることができる。また、連結棒が挿通された横パイプを介して複数本の剛性パイプを連結してパイプの集合体を構成すれば、その剛性パイプ自体の本数を減少させた同形同大のパイプの集合体を構成することができ、長さが同一であって直径の異なる複数種類の横パイプを使用することも可能になるので、雨水の貯水量を更に増加させるとともに、その施工を比較的容易にかつ安価にすることができる。
【００３９】
なお、シートが遮水シートである場合には、パイプの集合体を遮水シートを介してモルタル、合成樹脂又はコンクリート製の補強壁で被包すれば、遮水シートが地中に存在する微生物等により孔をあけられることもなく、たとえ遮水シートに孔があいたとしても、この補強壁が内部に貯留された雨水が漏れ出すことを防止することができる。また、遮水シートと補強壁の間に保護シートを介装すれば、保護シートにより遮水シートが保護されるので、モルタル、合成樹脂又はコンクリート製の補強壁に凹凸が生じ貯留された雨水の水圧により遮水シートがその凹凸に押付けられて破損することを防止することもできる。この結果、長期間の使用に対しても雨水を漏すことなく十分に貯留することができる。
【図面の簡単な説明】
【図１】本発明の第１実施の形態の地下貯水槽を示す概略的な断面図。
【図２】そのパイプの集合体の部分斜視図。
【図３】取付孔と雄ねじと雌ねじから成るパイプ連結手段により連結された剛性パイプの断面図。
【図４】そのパイプの集合体の上面図。
【図５】そのパイプの集合体の積重ね状態を示す斜視図。
【図６】本発明の第２実施の形態の地下貯水槽を示す図１に対応する概略的な断面図。
【図７】本発明の第３実施の形態の地下貯水槽を示す図１に対応する概略的な断面図。
【図８】掘削された底部の下壁に第１保護シート及び遮水シートを配置してパイプの集合体を配置した状態を示す概略的な断面図。
【図９】パイプの集合体を遮水シートにより被包して第１保護シートの周囲を立ち上げた状態を示す図８に対応する概略的な断面図。
【図１０】保護シートを介してパイプの集合体の底面を除く面を金網３３により包込んだ状態を示す図８に対応する概略的な断面図。
【図１１】剛性パイプを三角状に配設したパイプの集合体の上面図。
【図１２】剛性パイプを六角状に配設したパイプの集合体の上面図。
【図１３】方形状に配設した周囲の剛性パイプを連結手段により連結したパイプの集合体の上面図。
【図１４】長い剛性パイプと短い剛性パイプが配設されて構成されたパイプの集合体の縦断面図。
【図１５】取付孔と雄ねじと雌ねじから成るパイプ連結手段が一対の剛性パイプを連結するパイプの集合体を示す図１４に対応する縦断面図。
【図１６】横パイプを使用して剛性パイプを連結する状態を示す図。
【図１７】横パイプを使用して構成されたパイプの集合体を示す図。
【図１８】パイプ連結手段であるクリップを示す斜視図。
【図１９】パイプ連結手段である樹脂成形品を示す斜視図。
【図２０】別の樹脂成形品を示す斜視図。
【図２１】更に別の樹脂成形品を示す斜視図。
【符号の説明】
１０，２０，３０  地下貯水槽
１１  パイプの集合体
１２  遮水シート
１３  パイプ連結手段
１３ａ  取付孔
１３ｂ  雄ねじ
１３ｃ  雌ねじ
１３ｄ  連結棒
１４  剛性パイプ
１４ａ  孔
１４ｃ  長剛性パイプ
１４ｄ  短剛性パイプ
１４ｅ  横パイプ
２２  透水シート
３１  補強壁
３１ａ  下壁
３１ｂ  側壁
３１ｃ  上壁
３２  保護シート
３２ａ  第１保護シート
３２ｂ  第２保護シート
３３  金網
４１  クリップ（パイプ連結手段）
４２，４３，４４  樹脂成形品（パイプ連結手段）
【図１】
0003796379.tif 000002
【図２】
0003796379.tif 000003
【図３】
0003796379.tif 000004
【図４】
0003796379.tif 000005
【図５】
0003796379.tif 000006
【図６】
0003796379.tif 000007
【図７】
0003796379.tif 000008
【図８】
0003796379.tif 000009
【図９】
0003796379.tif 000010
【図１０】
0003796379.tif 000011
【図１１】
0003796379.tif 000012
【図１２】
0003796379.tif 000013
【図１３】
0003796379.tif 000014
【図１４】
0003796379.tif 000015
【図１５】
0003796379.tif 000016
【図１６】
0003796379.tif 000017
【図１７】
0003796379.tif 000018
【図１８】
0003796379.tif 000019
【図１９】
0003796379.tif 000020
【図２０】
0003796379.tif 000021
【図２１】
0003796379.tif 000022